(57)【特許請求の範囲】
【請求項１】
賞球払出のための賞球払出装置，賞球払出樋等を設けてなる機構板を前面枠の裏側にクランプにより着脱自在に固定したパチンコ遊技機において、該前面枠の裏側に取付板の一側をヒンジすることにより前記機構板の少なくとも略下半部分が該取付板によって覆われるようにすると共に、該取付板に前記クランプを手動操作するための手を挿入し得る窓孔を開設し、該取付板に遊技制御回路基板等の電子回路基板を取り付けてなることを特徴としたパチンコ遊技機の裏構造。
【発明の詳細な説明】
【０００１】
【発明の属する技術分野】
本発明は、遊技制御回路基板等の電子回路基板を具備しているパチンコ遊技機の裏構造に関するものである。
【０００２】
【従来の技術】
一般にパチンコ遊技機は、遊技制御回路基板，賞球払出制御回路基板，ランプ制御回路基板，音声制御回路基板，打球発射制御回路基板等の各種電子回路基板を具備し、それらの作動により、打球が発射され、入賞球が検出され、カラー液晶表示ディスプレイに画像が表示され、大当たりを発生させ、可変入賞装置を開閉作動させ、入賞球数に従い賞球が払い出され、ランプを点滅させ、音声が再生されるように構成されている。従来これらの電子回路基板は、パチンコ遊技機の裏面の種々の部品間の狭いスペースにどうにか収められ、該各電子回路基板間と賞球払出装置，液晶表示ディスプレイ，各種役物等を多数本の配線束で結んでなるものであった。
【０００３】
【発明が解決しようとする課題】
このため、新規なパチンコ遊技機を設計するに際して、上記各電子回路基板の形状やコネクタの位置が変わったりすると、他の部品や配線束の配置等が障害となり、大幅な設計変更をしなければならず、開発コストが高くなるなどの問題があった。
【０００４】
そこで本発明は、従来の上記のような問題点を解消し、種々の大きさ，形状の電子制御回路基板を容易に配置し得るパチンコ遊技機の裏構造を提供しようとするものである。
【０００５】
【課題を解決するための手段】
そのために本発明のパチンコ遊技機の裏構造は、賞球払出のための賞球払出装置，賞球払出樋等を設けてなる機構板を前面枠の裏側にクランプにより着脱自在に固定したパチンコ遊技機において、該前面枠の裏側に取付板の一側をヒンジすることにより前記機構板の少なくとも略下半部分が該取付板によって覆われるようにすると共に、該取付板に前記クランプを手動操作するための手を挿入し得る窓孔を開設し、該取付板に遊技制御回路基板等の電子回路基板を取り付けてなることを特徴とする。
【０００６】
【発明の実施の形態】
次に図面に従い本発明の実施の形態を説明する。図１は本発明に係るパチンコ遊技機の裏面の斜視図、図２はその正面図、図３はそのＡ−Ａ線断面図である。図中、１は長方形状の機枠、２は該機枠１の一側に軸受３により前方に開閉可能なるようにヒンジされた前面枠である。前面枠２の中央窓孔には遊技盤４，ガラス枠５が取付けられている。また、６は前面枠２の裏面に該遊技盤４を囲うようなコ字状の形態に形成された機構板である。該機構板６には、図５にも示したように賞球貯留タンク７，賞球整流樋８，賞球払出装置９，賞球払出樋１０，セーフ球検出排出装置１１，リン１２等の賞球払出のために必要な機構が組み付けられている、そして該機構板６はその一側縁に一体的に設けられた軸受部１３に前面枠２の裏面に突設された支軸１４を貫挿することにより、該支軸１４を支点として後方へ開閉可能なるようにヒンジされている。１５は該機構板６を常には前面枠２の裏面に閉止状態に止着するために該機構板の反対側縁に設けられたクランプである。なおこれらの構造は従来と同様であるのでそれらの詳しい説明は割愛する。１６は前面枠２の裏面下部に設けられた打球発射装置を示す。また、１７は遊技盤４の中央に設けられた液晶ディスプレイ等の後方部を覆うディスプレイケース、１８は遊技盤４の裏面に取付けられた入賞球集合ケースである。
【０００７】
この実施形態では、上記機構板６を覆うような形態にプラスチック製の取付板２０を着脱自在に設け、該取付板２０に遊技制御回路基板２１，賞球払出制御基板２２，打球発射制御基板２３，装飾ランプ制御基板２４，音声制御基板２５，電源供給基板２６等の電子制御回路基板が夫々プラスチック製の収納ボックスに収納されて取り付けられる。該取付板２０はこの実施形態では略Ｌ形を呈していてその板面全体には多数の取付孔２７が定ピッチで開設されている。このため大きさ，形状の異なる種々の電子回路基板を該取付孔２７にビス３６で取り付けられるようにしている。また、該取付板２０の一側にアーム状の軸受部２８が突設され、該軸受部２８を前記支軸１４に掛架することにより、該取付板２０は該支軸１４を支点として後方に開閉自在なるようにヒンジされている。２９は該取付板２０を常には機構板６上に閉止状態に止着するために該取付板に設けられた樹脂製リベット（ナイラッチと称される）である。該樹脂製リベット２９は図３に示したように樹脂の弾性により膨縮する軸部３１が機構板６に開設された係合孔３２に嵌合していて該リベットの突端を押し引きすることにより該軸部３１が膨縮することで係合着脱が自在なる周知の止め具である。そして該樹脂製リベット２９をもって取付板２０を機構板６上に重合状に止着することにより、該取付板は該機構板を覆うような形態で取り付けられる。なお、３３は上記各電子制御回路基板と遊技盤上の各種役物，装飾ランプ，液晶表示ディスプレイ，入賞球センサ、または、スピーカ，賞球払出装置９，セーフ球検出排出装置１１，打球発射装置１６等とを結線するために上記各電子制御回路基板からコネクタを介して導出された配線束、３４は該配線束を取付板２０上に止着している結束バンドである。また、３５はこれらの配線束３３の一部を前記賞球払出装置９，セーフ球検出排出装置１１，打球発射装置１６等に配線するために該取付板に開設された透孔である。
【０００８】
このように、機構板６を覆うような形態で取付板２０を設けることによって、該取付板上には種々の大きさの電子制御回路基板をそのコネクタの位置等にも制限されることなく自在に配置することができる。このため、新規なパチンコ遊技機を設計するに際して、上記各電子回路制御基板の形状や大きさ，コネクタの位置等が変わっても、他の部品や配線束の配置等が障害となることなく、大きな電子制御回路基板でも大幅な設計変更をしなくても容易に取付けられるようになる。
【０００９】
この実施形態では、取付板２０が賞球貯留タンク７をも覆うようにしたことで、該賞球貯留タンク７は横幅のある従来より大きなものを取付けることが可能になる。そして、賞球払出装置９，セーフ球検出排出装置１１等で球詰まり等の故障が生じた場合は、樹脂製リベット２９により機構板６上への止着を外せば該取付板２０は図４，図５に示したように後方に開き得るので、その故障個所を容易に点検することができる。
【００１０】
なお、この実施形態では取付板２０を機構板６と共通の支軸１４にヒンジしたが、別に支軸を設けてヒンジしてもよい。その場合、別のヒンジとしては支軸１４と同じ側でなくても前面枠２の裏面の反対側に新たに設けた支軸にヒンジすることで、機構板６と取付板２０とが観音開き状に開閉できるように取り付けることも可能である。またこのように機構板６と取付板２０とが独立してヒンジされるようにすることで、重い電子制御回路基板の荷重が機構板６に掛らないようにできるので、機構板６の変形を防止できるとともに、機構板の耐荷重性を従来のように過大に考慮しなくてもよくなる利点がある。
【００１１】
一方、図６に示した実施形態は、取付板２０の一部に窓孔４０が開設され、該窓孔４０から手を挿入することによって、機構板６を前面枠２の裏面に着脱自在に固定するために設けられているクランプ４１を手動操作し得るようにしている。このように取付板２０に窓孔４０を開設することによって機構板６を止めるクランプ４１がどの位置にあってもその操作に支障のないようにできる。また、同図に示した取付板２０は、図７にこのパチンコ遊技機の縦断面図を示したように、ディスプレイケース１７，入賞球集合ケース１８等をも覆い得る形態に形成されている。このように取付板２０の大きさや形態は自在に設計し得る。
【００１２】
また、図８〜図１１は本発明の他の実施形態を示し、図１１の分解斜視図に示したように、プラスチック製の取付板２０の略左半分の中央に窓孔４０が開設され、該窓孔に一端が臨む凹状屈折部５０が形成され、該凹状屈折部に係合孔５１，切欠５２が形成され、窓孔４０の上方端縁に軸支部５３が形成され、略右半分に係合孔５４，弾性片５５を形成してなる。なお、５６は取付板２０の表面に軸受５７を形成し水平面内で旋回自在なるように軸支された掛止片である。５８は取付板２０の裏面に突設された取付用ボスである。この取付板２０は、賞球払出装置９，賞球払出樋１０等が設けられた機構板６の略下半部分を覆うようにボス５８にビス５９を貫挿して締め付けることによって止着される。
【００１３】
また図１１において、６０は打球発射制御基板２３が収納されたプラスチック製の収納ボックスで、該収納ボックスの裏面には図１０に示したように前記係合孔５１と係合し得る弾性片６２、および切欠５２と係合し得る鈎状片６３が形成されている。６４は遊技制御回路基板２１が収納されたプラスチック製の収納ボックスで、該収納ボックスはその上縁を前記軸支部５３にヒンジすることにより取付板２０に取り付けられる。６５は該収納ボックス６４の下縁部を取付板２０上に着脱自在に止着する樹脂製リベットである。また、６６は賞球払出制御基板２２が収納されたプラスチック製の収納ボックスで、該収納ボックスの裏面には前記係合孔５４に係合する鈎状片６７と前記弾性片５５が係合する係合孔６８が形成されている。なお６９は取付板２０上に固着された中継基板である。
【００１４】
このようにこの実施形態では、遊技制御回路基板２１が取付板２１にヒンジし窓孔４０上に交差する形態で取り付けられ、また該遊技制御回路基板２１は打球発射制御基板２３とも立体的に交差する形態で取り付けられる。このため、該窓孔４０内のクランプ４１を手動操作しようとする場合は、樹脂製リベット６５を外し該遊技制御回路基板２１を図９に示したように上方に回転させ、該遊技制御回路基板２１の下に掛止片５６を旋回位置させることで該遊技制御回路基板２１の落下を防ぎ、窓孔４０中に手を入れられる。
【００１５】
またこの実施形態では、賞球払出制御基板２２，打球発射制御基板２３等の電子回路基板の収納ボックスが、該収納ボックスまたは取付板に形成された弾性片を取付孔に係合することにより着脱自在に取り付けられているので、取り付け取り外しが容易でありコストも軽減される。なお、２４，２５は夫々プラスチック製の収納ボックスに収納されて取り付けられた装飾ランプ制御基板と音声制御基板である。
【００１６】
このように取付板２０は必ずしも前記実施形態のように支軸１４にヒンジしなくても機構板６または前面枠２の裏面に着脱自在に取付けられる。また、機構板６に対する取付板２０の取付手段、および該取付板に対する各電子制御回路基板の取付手段についてもこれらの実施形態に限らず、その他の手段をもってしてもよい。
【００１７】
さらに、取付板２０の形状は図示したような形態に限らないことは勿論、必要に応じ上下または左右に２分割した取付板を形成し、夫々着脱できるような構造としてもよい。また、この実施形態では各電子制御回路基板を夫々プラスチック製の収納ボックス中に収納した例を示したが、取付板の表面全体を覆う透明プラスチック製のカバー（図示せず）を設けることによって該取付板上の複数の電子制御回路基板をその１つのカバーによって覆うようにしてもよい。
【００１８】
【発明の効果】
このように本発明に係るパチンコ遊技機の裏構造は、賞球払出のための賞球払出装置，賞球払出樋等を設けてなる機構板が裏側に設けられたパチンコ遊技機において、該機構板を覆うような形態に取付板を着脱自在に設け、該取付板に遊技制御回路基板等の電子制御回路基板を取り付けてなるので、スペースにとらわれることなく該取付板上に種々の大きさの電子制御回路基板を自在に配置することができるようになり、パチンコ遊技機の設計変更が容易になり、開発コスト，期間等を大幅に節減できるようにする有益な効果がある。
【図面の簡単な説明】
【図１】本発明に係るパチンコ遊技機の裏構造の実施形態を示す斜視図。
【図２】本発明に係るパチンコ遊技機の裏構造の実施形態を示す正面図。
【図３】図２のＡ−Ａ線断面図。
【図４】本発明に係るパチンコ遊技機の裏構造の実施形態を示す取付板の開放時の斜視図。
【図５】本発明に係るパチンコ遊技機の裏構造の実施形態を示す取付板の開放時の正面図。
【図６】本発明に係るパチンコ遊技機の裏構造の他の実施形態を示す正面図。
【図７】図６のパチンコ遊技機の縦断面図。
【図８】本発明に係るパチンコ遊技機の裏構造の他の実施形態を示した斜視図。
【図９】図８の作動状態を示した斜視図。
【図１０】図８のＢ−Ｂ線断面図。
【図１１】図８の要部の分解斜視図
【符号の説明】
１          機枠
２          前面枠
４          遊技盤
６          機構板
７          賞球貯留タンク
８          賞球整流樋
９          賞球払出装置
１０        賞球払出樋
１１        セーフ球検出排出装置
１４        支軸
２０        取付板
２１        遊技制御回路基板（電子制御回路基板）
２２        賞球払出制御基板（電子制御回路基板）
２３        打球発射制御基板（電子制御回路基板）
２４        装飾ランプ制御基板（電子制御回路基板）
２５        音声制御基板（電子制御回路基板）
２６        電源供給基板（電子制御回路基板）
２７        取付孔
２８        軸受部
２９        樹脂製リベット
３３        配線束
３６        ビス
４０        窓孔
４１        クランプ
５０        凹状屈折部
５１        係合孔
５４        係合孔
５５        弾性片
６０        収納ボックス
６２        弾性片
６４        収納ボックス
６６        収納ボックス
【図１】
0004272730.tif 000002
【図２】
0004272730.tif 000003
【図３】
0004272730.tif 000004
【図４】
0004272730.tif 000005
【図５】
0004272730.tif 000006
【図６】
0004272730.tif 000007
【図７】
0004272730.tif 000008
【図８】
0004272730.tif 000009
【図９】
0004272730.tif 000010
【図１０】
0004272730.tif 000011
【図１１】
0004272730.tif 000012